(57)【要約】      （修正有）【課題】生産能率が高く、しかも、安価に製作することができる装飾表示体を提供する。【解決手段】表面に規則正しく配列された凸状集光素１２が多数個設けられた実質上透明材料からなる基板１１の裏面に、互いに平行で不透明素材、例えば着色インクからなる多数本の幅狭ライン１５を設けるようにしているが、１本の幅狭ライン１５には多数個の凸状集光素１２が対応関係にあるため、幅狭ライン１５と凸状集光素１２との相互位置関係の調整箇所数が、従来の凸状集光素１２の数から幅狭ライン１５の本数まで減少する構成としている。【選択図】    図２
2004230561.tif 000002
【特許請求の範囲】
【請求項１】
表面に一定ピッチで規則正しく配列された凸状集光素が多数個設けられ実質上透明素材からなる基板と、該基板の裏面に設けられ、互いに平行で不透明素材からなる多数本の幅狭ラインとを備えたことを特徴とする装飾表示体。
【請求項２】
前記幅狭ラインを隣接する２個の凸状集光素の最大離隔位置間に少なくとも１本配置するとともに、凸状集光素に重なり合っている幅狭ラインは該凸状集光素に対して部分的に重なり合っている請求項１記載の装飾表示体。
【請求項３】
前記基板を複数の領域に区画するとともに、少なくとも２つの領域における幅狭ラインの幅を互いに異ならせるようにした請求項１または２記載の装飾表示体。
【請求項４】
前記基板を複数の領域に区画するとともに、少なくとも２つの領域における幅狭ラインのピッチを互いに異ならせるようにした請求項１または２記載の装飾表示体。
【請求項５】
前記幅狭ラインを基板の横方向に対して３０度以上の角度で傾斜させた請求項３〜４のいずれかに記載の装飾表示体。
【発明の詳細な説明】
【０００１】
【発明の属する技術分野】
この発明は、見る角度によって全体模様に揺らぎが生じる装飾表示体に関する。
【０００２】
【従来の技術】
【特許文献１】
特開平９−２０７２５４号公報
【特許文献２】
特開平１０−３５０８３号公報
【特許文献３】
特開２００１−１８０１９８号公報
【０００３】
従来の装飾表示体としては、例えば、前記特許文献１に記載されているようなものが知られており、関連技術として前記特許文献２、３に記載されているようなものが知られている。ここで、前記特許文献１に記載のものは、透明性シートの表面に多数の凸レンズ状の突起を連続した任意のパターンで設け、一方、該シートの裏面に前記突起と同じ連続パターンをもつとともに、突起と一対一の対応関係にある多数のドット、多角形をした模様を印刷し、これらドット、模様を表面の連続パターンに対して変位させるようにしたものである。
【０００４】
そして、このようなものにあっては、突起とドット、模様との重なり合い量が突起によって異なるため、見る角度によってドット、模様が見えたり見えなかったりし、これにより、装飾表示体全体として見る角度により全体模様が変化し揺らぎが生じるのである。
【０００５】
【発明が解決しようとする課題】
しかしながら、このような従来の装飾表示体にあっては、多数個、例えば３０Ｃｍ角のシートに特許文献１の実施例に記載されているように  ０．３ｍｍピッチで設けたときには合計  １００万個の突起とドット、模様との全てを正確な相互位置関係でシート上に設けなければ、所望の全体模様が現出せず、この結果、製作作業に細心の注意と複雑な工程が必要となって、生産能率が低下するとともに高価となってしまうという問題点がある。なお、一部の突起とドット、模様との相互位置関係にずれが生じた場合には、全体模様が部分的にぼやけたり、該部位の模様が体をなさない状態となってしまうのである。
【０００６】
この発明は、生産能率が高く、しかも、安価に製作することができる装飾表示体を提供することを目的とする。
【０００７】
【課題を解決するための手段】
このような目的は、表面に一定ピッチで規則正しく配列された凸状集光素が多数個設けられ実質上透明素材からなる基板と、該基板の裏面に設けられ、互いに平行で不透明素材からなる多数本の幅狭ラインとを備えることにより達成することができる。
【０００８】
この発明においては、基板の裏面に多数本の幅狭ラインを設けるようにしているが、１本の幅狭ラインには多数個の凸状集光素が対応関係にあるため、幅狭ラインと凸状集光素との相互位置関係の調整箇所数が、従来の凸状集光素の数から幅狭ラインの本数まで減少し、これにより、製作作業が容易となって生産能率が向上するとともに、製作費を安価とすることができる。
【０００９】
また、請求項２に記載のように構成すれば、表示体全体に現出される模様を美的で、かつ、鮮明なものとすることができる。
さらに、請求項３、４に記載のように構成すれば、幅狭ラインの幅、ピッチが異なる領域において、模様が手前に浮き上がったり、奥側に引っ込んだりし、これにより、全体模様に奥行きができて美感が向上するとともに、人々の注意を引くことができる。
また、請求項５に記載のように構成すれば、全体模様の奥行きを大きく、かつ、確実なものとすることができる。
【００１０】
【発明の実施の形態】
以下、この発明の第１実施形態を図面に基づいて説明する。
図１、２、３において、１０は平板状をした装飾表示体であり、この装飾表示体１０はシート状またはパネル状をした基板１１を有し、この基板１１はアクリル樹脂、塩化ビニール樹脂等の実質上透明素材から構成されている。ここで、実質上透明素材とは、薄く着色されていても、後述する裏面側の幅狭ラインを鮮明に視認することができる程度であれば、透明材料に含まれるという意味である。
【００１１】
前記基板１１の表面１１ａには多数個の凸レンズ状をした凸状集光素１２が設けられ、これらの凸状集光素１２は前記基板１１と同一材料のインキを用いて印刷することで形成されている。また、これらの凸状集光素１２は一定ピッチで規則正しく、例えば亀甲形、正方形、長方形、菱形、三角形の各頂点に凸状集光素１２を配置するとともに、これらのパターンを二次元的に繰り返すことで、この実施形態にでは正方形の各頂点に凸状集光素１２を配置するとともに、この正方形を横方向（左右方向）に対して４５度で傾斜させながら斜め右上方および斜め右下方に繰り返すことで設けている。この結果、これら凸状集光素１２の並び方向Ｎは、この実施形態では基板１１の横方向（左右方向）に対して４５度傾斜していることになる。
【００１２】
ここで、前記基板１１の肉厚ｔは、厚くなるほど全体模様の揺らぎが大きくなるため、凸状集光素１２の直径より大であることが好ましい。しかしながら、厚くなり過ぎると、全体模様がぼやけたり、取り扱いが不便となるため、  ０．１〜５ミリメートルの範囲が実用的である。
【００１３】
一方、平坦である基板１１の裏面１１ｂには互いに平行な多数本の直線状をした幅狭ライン１５が印刷により設けられ、これら幅狭ライン１５は不透明素材、ここでは着色インクから構成されている。ここで、これら幅狭ライン１５は基板１１の略縦方向（横方向に対して９０度前後、ここでは８８度で交差し上下方向）に延びており、この結果、前記凸状集光素１２の並び方向Ｎに対して４５度前後、ここでは４３度の交差角Ｋで交差している。
【００１４】
また、前述した幅狭ライン１５は隣接する２個の凸状集光素１２、例えば、図２に示す横方向に隣接した凸状集光素１２ａ、ｂの最大離隔位置Ｑ、Ｒ間に少なくとも１本、この実施形態では１本だけ配置されている。そして、これら凸状集光素１２ａ、ｂに対して幅狭ライン１５を部分的に、この実施形態では凸状集光素１２ａ、ｂの互いに近接する側の半分だけに幅狭ライン１５を重なり合あわせている。
【００１５】
そして、前述のように幅狭ライン１５を隣接する２個の凸状集光素１２の最大離隔位置Ｑ、Ｒ間に少なくとも１本配置するとともに、該凸状集光素１２に重なり合っている幅狭ライン１５を凸状集光素１２に対して部分的に、特に、略半分だけ重なり合うようにすれば、装飾表示体１０全体に現出される模様を美的で、かつ、鮮明なものとすることができる。なお、幅狭ライン１５の幅が前記最大離隔位置Ｑ、Ｒ間の間隔より広い場合には、幅狭ライン１５が強調されて見え揺らぎが見えづらくなるため、前述のように幅狭ライン１５を最大離隔位置Ｑ、Ｒ間に少なくとも１本配置することが好ましい。
【００１６】
また、基板１１の裏面１１ｂ全面には不透明素材、例えば、黒、メタリック色のインキからなる地１７が印刷され、この地１７は前記幅狭ライン１５を裏面側から完全に覆っている。そして、幅狭ライン１５、地１７を前述のように印刷すると、角度を変えながら基板１１を表面１１ａ側から視認したとき、凸状集光素１２と幅狭ライン１５との重なり合い量が両者の間で変化するため、装飾表示体１０全体として全体模様が変化し揺らぎが生じる。このように見る角度によって全体模様が変化し、人の注意を喚起することができるため、この装飾表示体１０は、例えば、販促ディスプレイ、置物、看板、ゲーム装置の装飾等に好適である。
【００１７】
そして、前述のように基板１１の裏面１１ｂに多数本の幅狭ライン１５を設けるようにしているが、１本の幅狭ライン１５には多数個の凸状集光素１２が対応関係にあるため、幅狭ライン１５と凸状集光素１２との相互位置関係の調整箇所数が、従来の凸状集光素１２の数から幅狭ライン１５の本数まで減少し、これにより、製作作業が容易となって生産能率が向上するとともに、製作費を安価とすることができる。
【００１８】
図４、５は、この発明の第２実施形態を示す図である。この実施形態においては、基板１１を複数の領域、ここでは中央部に位置する矩形の内側領域２１と、内側領域２１を囲む四角枠状の外側領域２２との２つの領域に区画している。そして、内側領域２１においては、基板１１の裏面１１ｂに前記第１実施形態で説明した幅狭ライン１５と同一の幅狭ライン１５を設け、一方、外側領域２２においては、基板１１の裏面１１ｂに、図５に示すような幅Ｗのみが第１実施形態で説明した幅狭ライン１５より若干広く、他は同様である幅狭ライン２３を設けるようにしている。なお、基板１１の表面１１ａに設けられている凸状集光素１２は、内側、外側領域２１、２２のいずれにおいても、前記第１実施形態で説明した凸状集光素１２と同一のものである。
【００１９】
このように基板１１を複数（２つ）の領域２１、２２に区画するとともに、少なくとも２つの領域２１、２２における幅狭ライン１５、２３の幅Ｗを互いに異ならせるようにすれば、幅狭ライン２３の幅Ｗが広い領域２２で全体模様が手前に浮き上がり、一方、幅狭ライン１５の幅Ｗが狭い領域２１で全体模様が奥側に引っ込み、これにより、装飾表示体１０の全体における模様に奥行きができて美感が向上するとともに、人々の注意を引くことができる。
【００２０】
図６は、この発明の第３実施形態を示す図である。この実施形態においても前記第２実施形態と同様に基板１１を複数の領域、ここでは内側領域２１と外側領域２２との２つの領域に区画している。そして、内側領域２１においては、基板１１の裏面１１ｂに前記第１実施形態で説明した幅狭ライン１５と同一の幅狭ライン１５を設け、一方、外側領域２２においては、基板１１の裏面１１ｂに、図６に示すようにピッチＰのみを第１実施形態で説明した幅狭ライン１５より若干狭くし、他は同様である幅狭ライン２５を設けるようにしている。なお、基板１１の表面１１ａに設けられている凸状集光素１２は、内側、外側領域２１、２２のいずれにおいても、前記第１実施形態で説明した凸状集光素１２と同一のものである。
【００２１】
このように基板１１を複数（２つ）の領域２１、２２に区画するとともに、少なくとも２つの領域２１、２２における幅狭ライン１５、２５のピッチＰを互いに異ならせるようにすれば、幅狭ライン２３間のピッチＰが広い領域２２で全体模様が手前に浮き上がり、一方、幅狭ライン１５間のピッチＰが狭い領域２１で全体模様が奥側に引っ込み、これにより、装飾表示体１０の全体における模様に奥行きができて美感が向上するとともに、人々の注意を引くことができる。
【００２２】
そして、前記第２、第３実施形態において、全体模様の奥行きを大きく、かつ、確実とするには、幅狭ライン１５を基板１１の横方向に対して３０度以上の角度で傾斜させ、左目で見たときと右目で見たときの、凸状集光素１２と幅狭ライン１５との重なり合いのずれ量を大きくすることが好ましい。このようなことから前記角度は大となるほど（９０度に近くなるほど）、その効果が顕著となり、より好ましい。
【００２３】
なお、前述の実施形態においては、幅狭ライン１５を直線状としたが、この発明においては、正弦波、方形波、三角波等の波状であったり、渦巻き状、同心円状であってもよく、さらに、各ラインに三角形、円形、方形等を一定ピッチで付加するようにしてもよい。また、前述の実施形態においては、凸状集光素１２ａ、ｂの最大離隔位置Ｑ、Ｒ間に１本の幅狭ライン１５を配置するようにしたが、この発明においては、２本以上の幅狭ラインを配置するようにしてもよい。
【００２４】
さらに、前述の実施形態においては、基板１１を内側、外側領域２１、２２の２つの領域に区画したが、この発明においては、３つ以上の領域に区画するようにしてもよく、このとき、各領域における幅狭ラインの幅、ピッチを互いに異ならせるようにしてもよい。そして、前述の領域の区画形態としては、碁盤目状、テストパターン状、同心円状等を挙げることができ、また、文字、図形等をそのうちの一つの領域としてもよい。また、前述の実施形態においては、基板１１の裏面１１ｂに幅狭ライン１５、地１７を印刷により設けるようにしたが、この発明においては、別の地としてのシートの表面に幅狭ラインを印刷し、このシートを基板の裏側に重ね合わせることで、基板の裏面に幅狭ラインを設けるようにしてもよい。
【００２５】
【発明の効果】
以上説明したように、この発明によれば、装飾表示体を高い生産能率で安価に製作することができる。
【図面の簡単な説明】
【図１】この発明の第１実施形態を示す正面図である。
【図２】図１のＡ部拡大図である。
【図３】図２のＩ−Ｉ矢視断面図である。
【図４】この発明の第２実施形態を示す正面図である。
【図５】図４のＩＩ−ＩＩ矢視断面図である。
【図６】この発明の第３実施形態を示す図３と同様の断面図である。
【符号の説明】
１０…装飾表示体              １１…基板
１２…凸状集光素              １５…幅狭ライン
２１、２２…領域                Ｑ、Ｒ…最大離隔位置
【図１】
2004230561.tif 000003
【図２】
2004230561.tif 000004
【図３】
2004230561.tif 000005
【図４】
2004230561.tif 000006
【図５】
2004230561.tif 000007
【図６】
2004230561.tif 000008